(57)【要約】【課題】作業者の労力を軽減しつつ、箱尺の水平状態を維持することを可能にする水準測量用の箱尺の保持具を提供すること。【解決手段】水準計測用の箱尺１００の水平状態を確保するための箱尺保持具１０であって、箱尺に取り付けるための保持具本体１２と、箱尺１００の長さ方向の軸に対する角度を変更可能な状態において、保持具本体１２に放射状に吊り下げられている複数の支持脚１４と、を有し、少なくとも３本の支持脚１４によって箱尺１００の水平状態を確保した状態において箱尺１００を支持するようになっていることを特徴とする。【選択図】図２
2008175535.tif 000002
【特許請求の範囲】
【請求項１】
水準計測用の箱尺を保持するための箱尺保持具であって、
前記箱尺に取り付けるための保持具本体と、
前記保持具本体に放射状に吊り下げられている複数の支持脚と、
を有し、
前記支持脚の前記保持具本体への吊り下げ角度は変更可能に構成されており、
少なくとも３本の支持脚によって前記箱尺の水平状態を確保した状態において前記箱尺を支持するようになっていることを特徴とする箱尺保持具。
【請求項２】
前記支持脚の前記保持具本体側とは反対側の端部には、滑り止め防止部材が配置されていることを特徴とする請求項１に記載の箱尺保持具。
【請求項３】
前記支持脚の長さは、調整可能に構成されていることを特徴とする請求項１又は請求項２のいずれかに記載の箱尺保持具。
【請求項４】
前記保持具本体は、透明の材料で形成されていることを特徴とする請求項１から請求項３のいずれかに記載の箱尺保持具。
【請求項５】
前記保持具本体は、前記箱尺の長手方向にスライド可能な状態で配置されていることを特徴とする請求項１から請求項４のいずれかに記載の箱尺保持具。
【請求項６】
前記保持具本体は、
前記箱尺と接する内側部材と、
前記支持脚が吊り下げられる外側部材とから構成されており、
前記内側部材と前記外側部材とは互いに回転可能に構成されていることを特徴とする請求項１から請求項５のいずれかに記載の箱尺保持具。
【発明の詳細な説明】
【技術分野】
【０００１】
本発明は、水準測量用の箱尺の保持具に関する。
【背景技術】
【０００２】
図１８に示すように、従来、例えば、作業者甲が箱尺１００を地面に水平に配置し、箱尺１００の目盛１００ａを別の作業者乙がスコープ（望遠鏡）２００によって読み取ることによって、水準測量を行っている。作業者甲は、箱尺１００に固定された水準器１０２を使用して、箱尺１００が水平に配置されているか否かを確認するようになっている。なお、箱尺１００が水平に配置されている状態を「水平状態」と呼ぶ。水準器１０２においては、図１８に示す拡大した斜視図と平面図を参照して理解されるように、水平面においては、液体中に浮いた気泡が容器の中央に来るようになっている。このため、作業者甲は、水準器１０２の気泡の位置が中央に来るように、箱尺１００を地面に配置することによって、水平状態を達成することができる。箱尺１００は、例えば、長さが３．５メートル（ｍ）、重量が約５キログラム（ｋｇ）であるから、作業者甲は、添え木やポール（図示せず）を利用して、箱尺１００を支える場合もある。なお、水準器１０２は、固定部１０２ａによって、箱尺１００に固定されている。水準器１０２は一般的な水準器であり、例えば、特開平７−２９２８６５に記載されているものである。
【０００３】
このような箱尺について、水準測量が困難な形状をしているヒューム管の高さ測定するための保持具が提案されている（特許文献１）。
【特許文献１】特開平８−１５９７７０号公報
【発明の開示】
【発明が解決しようとする課題】
【０００４】
ところが、ダム周辺の地盤の沈下や地盤隆起の挙動（以下、「ダムの挙動」と呼ぶ）を把握するために実施する水準測量は、高精度が要求される。このような精密水準測量においては、例えば、複数回の測量結果のばらつきが１００分の１ミリ（ｍｍ）以内という精度が必要である。このため、水平状態を厳密に維持する必要がある。
【０００５】
しかし、箱尺１００は、例えば、長さ３．５メートル（ｍ）もあるから風雨の影響を受け易い。しかも、ダムの挙動は、電力供給にも影響するし、下流に住む人々の安全にも影響するから、風雨の存在にもかかわらず、水準測量を実施する必要がある。このため、悪天候の中において水準測量を行う必要があるにもかかわらず、図１９に示すように、箱尺１００が風によって揺れ、水平状態を確保することが困難な場合があるという問題がある。これは、上述の特許文献１の技術によっても解決することができない。
【０００６】
また、図２０に示すように、地面の起伏が激しい場合には作業者甲の足場が安定せず、しかも、箱尺１００が相当の重量を有するものであるから、箱尺１００の水平状態を維持することが困難であるという問題がある。
【０００７】
本発明は、上述した課題に鑑みてなされたものであり、作業者の労力を軽減しつつ、箱尺の水平状態を維持することを可能にする水準測量用の箱尺の保持具を提供することを目的とする。
【課題を解決するための手段】
【０００８】
具体的には、本発明は以下のものを提供する。
（１）  水準計測用の箱尺を保持するための箱尺保持具であって、前記箱尺に取り付けるための保持具本体と、前記保持具本体に放射状に吊り下げられている複数の支持脚と、を有し、前記支持脚の前記保持具本体への吊り下げ角度は変更可能に構成されており、少なくとも３本の支持脚によって前記箱尺の水平状態を確保した状態において前記箱尺を支持するようになっていることを特徴とする箱尺保持具である。
【０００９】
（１）の発明によれば、箱尺を配置する場所が平坦ではない場合であっても、支持脚の角度を変更することによって、箱尺を水平状態にすることができ、その水平状態を維持しつつ、少なくとも３本の支持脚によって箱尺を支持することができる。箱尺は箱尺保持具によって支持されているから、作業者の労力の負担は少ない。
【００１０】
このため、（１）の発明によれば、作業者の労力を軽減しつつ、箱尺の水平状態を維持することを可能にする水準測量用の箱尺の保持具を提供することができる。
【００１１】
（２）  前記支持脚の前記保持具本体側とは反対側の端部には、滑り止め防止部材が配置されていることを特徴とする（１）に記載の箱尺保持具である。
【００１２】
（２）の発明に係る箱尺保持具の支持脚には滑り止め防止部材が配置されているから、支持脚が滑って、箱尺の水平状態が解消することを防止することができる。
【００１３】
（３）  前記支持脚の長さは、調整可能に構成されていることを特徴とする（１）又は（２）のいずれかに記載の箱尺保持具である。
【００１４】
（３）の発明によれば、支持脚の角度の変更だけでは箱尺の水平状態を実現することができない場合であっても、支持脚の長さを調整することによって箱尺の水平状態を実現することができる。
【００１５】
（４）  前記保持具本体は、透明の材料で形成されていることを特徴とする（１）から（３）のいずれかに記載の箱尺保持具である。
【００１６】
（４）の発明によれば、箱尺保持具を取り付けても、箱尺の測定用メモリが読めなくなることはない。
【００１７】
（５）  前記保持具本体は、前記箱尺の長手方向にスライド可能な状態で配置されていることを特徴とする（１）から（４）のいずれかに記載の箱尺保持具である。
【００１８】
（５）の発明によれば、支持脚の角度の変更や長さの調整だけでは箱尺の水平状態を実現することができない場合であっても、保持具本体をスライドすることによって、箱尺の水平状態を実現することができる。
【００１９】
（６）  前記保持具本体は、前記箱尺と接する内側部材と、前記支持脚が吊り下げられる外側部材とから構成されており、前記内側部材と前記外側部材とは互いに回転可能に構成されていることを特徴とする（１）から（５）のいずれかに記載の箱尺保持具である。
【００２０】
（６）の発明によれば、箱尺の水平状態を維持した状態において、箱尺の向きを変更して水準を測定することができる。
【発明の効果】
【００２１】
本発明によれば、作業者の労力を軽減しつつ、箱尺の水平状態を維持することを可能にする水準測量用の箱尺の保持具を提供することができる。
【発明を実施するための最良の形態】
【００２２】
以下、本発明の実施形態の一例について、添付した図面を参照しながら、具体的に説明する。
【００２３】
［第１実施形態］
図１は、本実施形態の箱尺１００を示す概略斜視図である。図２は、本実施形態の箱尺保持具１０を示す概略斜視図である。
【００２４】
なお、本実施形態以降の説明では、同じ部材の場合には同じ符号を付すとともに、すでに説明した部材の説明は省略する。
【００２５】
図１に示すように、箱尺１００は、略直方体の形状をしている。矢印Ａ方向を長さ方向と呼ぶ。箱尺１００のＡ１−Ａ１線の断面は長方形である。Ａ１−Ａ１線の断面は長さ方向に垂直方向の断面である。そして、一つの面に目盛１００ａが刻まれている。以下、目盛１００ａが刻まれている面を「目盛面」と呼ぶ。この箱尺１００は、水準計測用に使用される。
【００２６】
図２に示すように、箱尺保持具１０は、箱尺１００に取り付けるための保持具本体１２と、３本の支持脚１４を有する。具体的には、厚みを有する略コの字型の保持具本体１２の各壁部にそれぞれ１本ずつ支持脚１４が配置されている。支持脚１４は、保持具本体１２に放射状に吊り下げられている。保持具本体１２は、例えば、アルミニウム等の金属板で形成されており、支持脚１４はアルミニウム等の金属で形成されている。
【００２７】
支持脚１４は、第１部１４ａと第２部１４ｂと滑り止め部材１４ｃとから構成される。第１部１４ａが保持具本体１２と接続している。第１部１４ａの保持具本体１２側の端部を上端部と呼び、その反対側を下端部と呼ぶ。滑り止め部材１４ｃは、支持脚１４の下端部に配置されている。滑り止め部材１４ｃは、例えば、生ゴムで形成されている。
【００２８】
第１部１４ａは雄ネジ１４ａａを有する金属棒である。第２部１４ｂは中空の円柱形状の金属チューブで形成されており、その内側には雌ネジ（図示せず）が形成されている。そして、第１部１４ａは雄ネジ１４ａａと第２部１４ｂの雌ネジが螺合することによって、第１部１４ａと第２部１４ｂは固定される。そして、第１部１４ａの雄ネジ１４ａａと第２部１４ｂの雌ネジが螺合の程度を調整することによって、支持脚１４の長さが調整可能になっている。すなわち、支持脚１４は、矢印Ｃ方向に伸縮することができる。
【００２９】
保持具本体１２は、略半円板上の突起部１２ａ，１２ａを有する。突起部１２ａ，１２ａには略円柱形上のピン１３が貫通している。このピン１３は、支持脚１４の第１部１４ａの先端部も貫通している。これにより、支持脚１４は、矢印Ｂ方向に保持具本体１２への吊り下げ角度を変更することができる。これは、箱尺保持具１０が箱尺１００に取り付けられた状態において、支持脚１４は図１の長さ方向の軸Ｓ（図１参照）に対する角度を変更可能であることを意味する。
【００３０】
図３は、箱尺保持具１０を図２の矢印Ｚ側から見た概略平面図である。図３に示すように、保持具本体１２は略コの字型をしており、開口部の幅ｄ２は、箱尺１００の目盛面の幅ｄ１（図１参照）よりもわずかに大きい。例えば、開口部の幅ｄ２は、目盛面の幅ｄ１よりも１ミリメートル（ｍｍ）大きい。
【００３１】
図４は、図３のＸ部分の概略拡大図である。
図４に示すように、支持脚１４は、ピン１３によって保持具本体１２に回転可能に接続されている。
【００３２】
図５は、保持具本体１２の突起部１２ａ，１２ａの近傍の概略拡大図である。図６は、支持脚１４の第１部１４ａの上端部付近の概略拡大図である。図７は、ピン１３の概略拡大図である。
【００３３】
図５に示すように、突起部１２ａ，１２ａにはそれぞれ貫通孔１２ｂ，１２ｂが形成されている。そして、図６に示すように、第１部１４ａの上端部付近には貫通孔１４ａｂが形成されている。このため、ピン１３が、突起部１２ａ，１２ａの貫通孔１２ｂ，１２ｂ及び第１部１４ａの貫通孔１４ａｂを貫通することによって、支持脚１４が保持具本体１２に回転可能に接続される。
【００３４】
図７に示すように、ピン１３はピン本体部１３ａと拡径部１３ｂ，１３ｂとから形成されている。ピン本体部１３ａの両端に形成された雄ねじ（図示せず）と、拡径部１３ｂ，１３ｂの内側に形成された雌ねじ（図示せず）が螺合するようになっている。拡径部１３ｂ，１３ｂの直径は突起部１２ａの貫通孔１２ｂよりも大きく形成されており、ピン１３が突起部１２ａから抜け落ちないようになっている。
【００３５】
箱尺保持具１０は上述のように構成されている。
以下、箱尺保持具１０の使用方法を説明する。
図８は、箱尺保持具１０を箱尺１００に取り付けた状態を示す概略斜視図である。
【００３６】
図８に示すように、箱尺１００の目盛面の裏面から箱尺保持具１０が取り付けられる。これにより、保持具本体１２の開口部から目盛面が見えるようになっている。
【００３７】
また、水準器１０２によって箱尺１００の水平状態を確保するように、３本の支持脚１４の角度や長さを調整する。すなわち、箱尺保持具１０は、３本の支持脚１４によって、箱尺１００の水平状態を確保した状態において、箱尺１００を支持するようになっている。
【００３８】
図９は、図８の矢印Ｚ方向から箱尺保持具１０及び箱尺１００を見た概略平面図である。
【００３９】
図９に示すように、箱尺１００は、保持具本体１２の後壁部１２ｄと側壁部１２ｃ，１２ｃに挟まれた上体で固定される。上述のように、保持具本体１２の開口部の幅ｄ２は箱尺１００の目盛面の幅ｄ１よりもわずかに大きい。このため、保持具本体１２は箱尺１００を挟み込んで固定することができるとともに、図８の矢印Ａ方向にスライド可能である。
【００４０】
箱尺保持具１０は、箱尺１００を配置する場所が平坦ではない場合であっても、支持脚１４の角度を変更することによって、箱尺１００を水平状態にすることができ、その水平状態を維持しつつ、３本の支持脚１４によって箱尺１００を支持することができる。
【００４１】
箱尺１００は箱尺保持具１０によって支持されているから、作業者の労力の負担は少ない。このため、箱尺保持具１０によれば、作業者の労力を軽減しつつ、箱尺１００の水平状態を維持することを可能にすることができる。
【００４２】
また、各支持脚１４には滑り止め部材１４ｃが配置されているから、支持脚１４が滑って、箱尺１００の水平状態が解消することを防止することができる。
【００４３】
また、支持脚１４の角度の変更だけでは箱尺１００の水平状態を実現することができない場合であっても、支持脚１４の長さを調整することによって箱尺１００の水平状態を実現することができる。
【００４４】
さらに、支持脚１４の角度の変更や長さの調整だけでは箱尺１００の水平状態を実現することができない場合であっても、保持具本体１２をスライドすることによって、箱尺１００の水平状態を実現することができる。
【００４５】
また、箱尺保持具１０によって水平状態を維持することができるから、水準測量の誤差を低減することができる。これは、水準測量の誤差を早期に所定範囲内に収束させることができることを意味する。このため、測量時間を短縮することができる。
【００４６】
［第２実施形態］
図１０及び図１１を参照して、本発明の第２実施形態について説明する。
図１０は、第２実施形態の箱尺保持具１０Ａを示す概略斜視図である。
図１１は、図１０の箱尺保持具１０Ａを箱尺１００に取り付けた状態において、矢印Ｚ方向から見た概略平面図である。
【００４７】
図１０及び図１１に示すように、箱尺保持具１０Ａの側壁部１２ｃ，１２ｃ及び後壁部１２ｄには、それぞれ２本ずつ支持脚１４Ａから１４Ｆが配置されている。また、各面の支持脚１４等は、当初設定する長さが異なる。例えば、後壁部１２ｄの支持脚１４Ｃは支持脚１４Ｄよりも長い。
このため、箱尺１００を配置する場所の凹凸に応じて、例えば、支持脚１４Ａと１４Ｄと１４Ｆを選択して使用して箱尺１００を支持することができる。
【００４８】
各支持脚１４Ａ等は、第１実施形態の支持脚１４と同様に、角度及び長さ調整が可能であるから、適切な長さの支持脚１４Ａ等の組み合わせが存在しない場合には、もっとも調整が少なくて済む支持脚の角度及び／又は長さを調整することによって、箱尺１００の水平状態を確保した状態で箱尺１００を支持することができる。
【００４９】
［第３実施形態］
図１２及び図１３を参照して、本発明の第３実施形態について説明する。
図１２は、第３実施形態の箱尺保持具１０Ｂを示す概略斜視図である。
図１３は、図１２の箱尺保持具１０Ｂを箱尺１００に取り付けた状態を示す概略図である。
【００５０】
図１２に示すように、箱尺保持具１０Ｂの保持具本体１２Ｂは、直方体の外形を有する筒状に形成されている。すなわち、箱尺保持具１０Ｂは貫通孔１２Ｂａを有する。そして、箱尺保持具１０Ｂは、透明の樹脂材料である、例えば、ポリカーボネイト（Ｐｏｌｙｃａｒｂｏｎａｔｅ）で形成されている。
【００５１】
図１３に示すように、箱尺保持具１０Ｂの貫通孔に箱尺１００を貫通させることによって、箱尺保持具１０Ｂを箱尺１００に固定する。箱尺保持具１０Ｂの貫通口の形状は、箱尺１００の断面形状とほぼ同様であるが、わずかに大きくなっている。このため、箱尺保持具１０Ｂの貫通孔１２Ｂａに箱尺１００を貫通させることができるとともに、任意の位置で固定することができる。しかも、箱尺保持具１０Ｂの４つの側壁部で箱尺１００を固定するから、箱尺１００を確実に支持することができる。
【００５２】
図１３に示すように、箱尺保持具１０Ｂにおいて、支持脚１４が存在しない面と箱尺１００の目盛面が一致する状態で、箱尺保持具１０Ｂを箱尺１００に固定する。これにより、箱尺保持具１０Ｂの４面で箱尺１００を固定しつつ、目盛面が箱尺保持具１０Ｂによって見えなくなることを防止することができる。
【００５３】
［第４実施形態］
図１４、図１５、図１６及び図１７を参照して、本発明の第４実施形態について説明する。
図１４は、第４実施形態の箱尺保持具１０Ｃを示す概略斜視図である。
図１５及び図１６は、箱尺保持具１０Ｃの部品を示す概略図である。
図１７は、箱尺保持具１０Ｃを箱尺１００に取り付けた状態を示す概略図である。
【００５４】
図１４に示すように、箱尺保持具１０Ｃの保持具本体１２Ｃは、直方体の貫通口を有する円筒形状に形成されている。保持具本体１２Ｃは、箱尺１００と直接し、箱尺１００を固定する内側部材１２Ｃａと、支持脚１４が吊り下げられる外側部材１２Ｃｂとから構成されている。
【００５５】
図１５に示すように、内側部材１２Ｃａの外面部には２本の突条１２Ｃａａが円状に形成されている。また、図１６に示すように、外側部材１２Ｃｂの内面部には２本の凹状の溝１２Ｃｂａが円状に形成されている。そして、突条１２Ｃａａが凹状の溝１２Ｃｂａ内に配置されるようにすることによって、内側部材１２Ｃａと外側部材１２Ｃｂが互いに矢印Ｄ方向（図１４参照）に回転可能に接続される。
【００５６】
なお、内側部材１２Ｃａ及び外側部材１２Ｃｂはともに、透明の樹脂材料で形成されている。
【００５７】
内側部材１２Ｃａと外側部材１２Ｃｂが互いに矢印Ｄ方向（図１４参照）に回転可能であるから、図１７に示すように、一つの方向から箱尺１００の目盛を読み取った後に、箱尺保持具１０Ｃの支持脚１４を動かすことなく、その場で内側部材１２Ｃａに固定された箱尺１００だけを回転させることができる。これにより、支持脚１４を動かすことなく、前回の計測とは別の方向から水準測量をすることができる。
【図面の簡単な説明】
【００５８】
【図１】本実施形態の箱尺を示す概略斜視図である。
【図２】本実施形態の箱尺保持具を示す概略斜視図である。
【図３】保持具を図２の矢印Ｚ側から見た概略平面図である。
【図４】図３のＸ部分の概略拡大図である。
【図５】保持具本体の突起部の近傍の概略拡大図である。
【図６】支持脚の第１部の上端部付近の概略拡大図である。
【図７】ピンの概略拡大図である。
【図８】保持具を箱尺に取り付けた状態を示す概略斜視図である。
【図９】図８の矢印Ｚ方向から保持具及び箱尺を見た概略平面図である。
【図１０】第２実施形態の保持具を示す概略斜視図である。
【図１１】図１０の保持具を箱尺に取り付けた状態において、矢印Ｚ方向から見た概略平面図である。
【図１２】第３実施形態の保持具を示す概略斜視図である。
【図１３】保持具を箱尺に取り付けた状態を示す概略図である。
【図１４】第４実施形態の保持具を示す概略斜視図である。
【図１５】保持具の部品を示す概略図である。
【図１６】保持具の部品を示す概略図である。
【図１７】保持具を箱尺に取り付けた状態を示す概略図である。
【図１８】従来例の説明図である。
【図１９】従来例の説明図である。
【図２０】従来例の説明図である。
【符号の説明】
【００５９】
１０，１０Ａ，１０Ｂ，１０Ｃ・・・箱尺保持具、１２・・・保持具本体、１４・・・支持脚、１４ａ・・・第１部、１４ｂ・・・第２部、１４ｃ・・・滑り止め部材、１００・・・箱尺、１０２・・・水準器
【図１】
2008175535.tif 000003
【図２】
2008175535.tif 000004
【図３】
2008175535.tif 000005
【図４】
2008175535.tif 000006
【図５】
2008175535.tif 000007
【図６】
2008175535.tif 000008
【図７】
2008175535.tif 000009
【図８】
2008175535.tif 000010
【図９】
2008175535.tif 000011
【図１０】
2008175535.tif 000012
【図１１】
2008175535.tif 000013
【図１２】
2008175535.tif 000014
【図１３】
2008175535.tif 000015
【図１４】
2008175535.tif 000016
【図１５】
2008175535.tif 000017
【図１６】
2008175535.tif 000018
【図１７】
2008175535.tif 000019
【図１８】
2008175535.tif 000020
【図１９】
2008175535.tif 000021
【図２０】
2008175535.tif 000022